(57)【要約】【課題】手指部と手首部と袖部とからなる手袋本体を有する液垂れ防止付き手袋において、手袋本体の外表面に垂れる液体を効率良く阻止し、袖や腕等が濡れるのを防止することにある。【解決手段】手指部と手首部と袖部とからなる手袋本体を有する液垂れ防止付き手袋は、手袋本体の袖部に、この袖部の開口が下向きになるように使用された場合でも、手袋本体の外表面に垂れる液体を阻止し、液垂れを防止する液垂れ阻止手段を設けている。【選択図】図１
2008285775.tif 000002
【特許請求の範囲】
【請求項１】
手指部と手首部と袖部とからなる手袋本体を有する液垂れ防止付き手袋において、前記手袋本体の外表面に垂れる液体を阻止するように、前記袖部に液垂れ阻止手段を設けたことを特徴とする液垂れ防止付き手袋。
【請求項２】
前記液垂れ阻止手段は、前記袖部の開口縁部から所定長さで延設され、前記開口縁部付近から外側で且つ前記手首部側に折り返されて液体受け空間を形成する折り返し部を備えていることを特徴とする請求項１に記載の液垂れ防止付き手袋。
【請求項３】
前記手袋本体は、ゴム材からなる外側部材に綿材からなる内側部材が重合して構成されていることを特徴とする請求項１に記載の液垂れ防止付き手袋。
【発明の詳細な説明】
【技術分野】
【０００１】
この発明は、液垂れ防止付き手袋に係り、特に手袋本体の外表面に垂れる液体で袖や腕等が濡れるのを防止する液垂れ防止付き手袋に関するものである。
【背景技術】
【０００２】
炊事や掃除等の作業においては、人手の保護等のためにゴム手袋が利用されている。このゴム手袋は、複数の指先を有する手指部と手首部と袖部とが手袋本体として一体成形され、且つ、一般的に手首部と袖部とが略同一径の円筒形状に形成されている。
【０００３】
従来、ゴム手袋には、袖部に厚地部と非厚地部とを交互に設け、この部分を折り返して液垂れ防止吸水部を形成したものがある。
【特許文献１】特開２００６−３４２４７８号公報
【発明の開示】
【発明が解決しようとする課題】
【０００４】
ところが、従来、ゴム手袋においては、袖部の開口が下向きになるように使用された場合に、水や洗剤等の液体が手袋本体の外表面で手指部側から袖部へと伝わって垂れて来たときに、袖や腕等を濡らしてしまうという不具合があった。
また、上記の特許文献１のゴム手袋では、袖部の開口が下向きになるように使用されて手袋本体の外表面に垂れて来る液体が多量の場合に、その液体の流れを阻止することが困難であり、袖や腕等を濡らしてしまうという不都合があった。
【０００５】
そこで、この発明の目的は、袖部の開口が下向きになるように使用された場合でも、手袋本体の外表面に垂れて来る液体を確実に阻止し、袖や腕等が濡れるのを防止する液垂れ防止付き手袋を提供することにある。
【課題を解決するための手段】
【０００６】
この発明は、手指部と手首部と袖部とからなる手袋本体を有する液垂れ防止付き手袋において、前記手袋本体の外表面に垂れる液体を阻止するように、前記袖部に液垂れ阻止手段を設けたことを特徴とする。
【発明の効果】
【０００７】
この発明の液垂れ防止付き手袋は、袖部に液垂れ阻止手段を設けることにより、袖部の開口が下向きになるように使用された場合でも、手袋本体の外表面に垂れて来る液体を確実に阻止し、袖や腕等が濡れるのを防止することができる。
【発明を実施するための最良の形態】
【０００８】
この発明は、手袋本体の外表面に垂れて来る液体を阻止し、袖や腕等が濡れるのを防止する目的を、袖部に液垂れ阻止手段を設けて実現するものである。
以下、図面に基づいてこの発明の実施例を詳細且つ具体的に説明する。
【実施例１】
【０００９】
図１〜図６は、この発明の第１実施例を示すものである。図１、図２において、１は液垂れ防止付き手袋、２は手袋本体である。
【００１０】
手袋本体２は、手指部３と手首部４と袖部５と液垂れ阻止手段６とを有している。
また、手袋本体２は、手指部３側で閉塞するとともに袖部５側に開放する内部空間２Ａを形成した円筒形状のものである。
更に、手袋本体２は、図２に示すように、外表面７を形成するゴム製からなる外側部材８に綿製からなって層状の内側部材９が付着され、外側部材８に内側部材９が重合して構成されている。この実施例に係る手袋本体２は、少なくとも手指部３及び手首部４の部分において外側部材８に内側部材９が重合している。ゴム製の外側部材８は、水や洗剤等の液体の浸入を防止するものである。綿製の内側部材９は、挿脱する人手に対して滑りを良好にするものであり、手袋本体２の成形時に粉状で外側部材８の内面に吹き付けされたものである。
【００１１】
手指部３は、人手の指先部分に対応する部分であり、複数の指先（３Ａ〜３Ｅ）を有する。
手首部４は、人手の手首部分に対応する部分である。
袖部５は、手首部分から肘付近に対応する部分であり、開放端側で所定の径Ｄ１の開口縁部１０を有している。この開口縁部１０は、袖部５の開口１０Ａを形成するものである。
【００１２】
液垂れ阻止手段６は、手袋本体２の外表面７に垂れる液体を阻止するものであり、袖部５に設けられる。
この液垂れ阻止手段６は、この第１実施例において、袖部５の開口縁部１０から所定長さＬで直線状に延設するとともに、この開口縁部１０の径Ｄ１よりも大きな径Ｄ２の拡張縁部１１を有する末広形状の折り返し部１２を備えている。
【００１３】
この折り返し部１２は、図３、図６に示すように、使用時に、袖部５の開口縁部１０付近を中心として外側で且つ手首部４側に折り返され、袖部５と共働して液体受け空間１３を形成する。このため、袖部５の開口縁部１０は、他の部分よりも少し硬目になるように凹凸に成形され、折り返し部１２が折り返されたときに、この折り返し部１２を袖部５周りにおいて略直線状で斜め位置に維持して、液体受け空間１３を形成させる機能を有している。
これにより、液垂れ阻止手段６は、袖部５の開口１０Ａが下向きになるように使用された場合でも、手袋本体２の外表面７に垂れて来る液体を確実に阻止する。
【００１４】
また、この液垂れ阻止手段６においては、図４に示すように、折り返し部１２を湾曲させて先端側を袖部５と略平行に形成することで、垂れて来る液体を液体受け空間１３に集めたり、あるいは、図５に示すように、折り返し部１２を湾曲させて先端側を袖部５から離間するように外側に延設することで、飛散しようとする液体を遮断させることもできる。
【００１５】
次に、この第１実施例の作用を説明する。
【００１６】
液垂れ防止付き手袋１の不使用時には、図１に示すように、折り返し部１２は、袖部５の開口縁部１０から略直線状に延長している。
【００１７】
液垂れ防止付き手袋１の使用時には、折り返し部１２の拡張縁部１１から人腕Ｂ（図６参照）を挿入させ、そして、折り返し部１２を袖部５の開口縁部１０付近で外側に且つ手首部４側に折り返すと、この折り返し部１２は袖部５と共働して液垂れ阻止手段６の液体受け空間１３を形成する。
その後、図６に示すように、袖部５の開口１０Ａが下向きになるように使用された場合に、手袋本体２の外表面７で手指部３側の上方から垂れて来る水や洗剤等の液体を液体受け空間１３が受け止める。
【００１８】
この結果、手袋本体２の外表面７で手指部３側の上方から垂れて来る液体を液体受け空間１３が受け止めて阻止することから、袖や腕等が濡れるのを防止することができる。
また、手袋本体２の内側部材９を綿製としたことにより、その材質上、人手に対して滑りが良好であり、人手の挿脱を円滑に行わせることができる。
【実施例２】
【００１９】
図７は、この発明の第２実施例を示すものである。
以下の実施例においては、上述の第１実施例と同一機能を果たす箇所には、同一符号を付して説明する。
この第２実施例の特徴とするところは、以下の点にある。即ち、液垂れ阻止手段６は、袖部５の開口縁部１０付近で外表面に複数の凹凸部位を備えた蛇腹部１４を有する。
【００２０】
この第２実施例の構成によれば、折り返し部１２を折り返して使用することにより、上述の第１実施例と同様な効果を奏するとともに、折り返し部１２を折り返さないで使用した場合でも、垂れてくる液体が蛇腹部１４の外表面の凹凸によって阻止され、袖や腕等が濡れるのを防止することができる。
【実施例３】
【００２１】
図８は、この発明の第３実施例を示すものである。
この第３実施例の特徴とするところは、以下の点にある。即ち、袖部５の開口縁部１０は、人腕よりも少しだけ小さな径Ｄ３に窄んで形成され、径方向で弾性的に拡大・縮小可能である。
【００２２】
この第３実施例の構成によれば、折り返し部１２を折り返して使用することにより、上述の第１実施例と同様な効果を奏するとともに、使用時に、袖部５の開口縁部１０が弾性的に人腕の密着することにより、液体が手袋本体２内に浸入するのを効果的に阻止することができる。
【実施例４】
【００２３】
図９は、この発明の第４実施例を示すものである。
この第４実施例の特徴とするところは、以下の点にある。即ち、液垂れ阻止手段６は、袖部５の開口縁部１０から延設した断面Ｚ形状の段部１５からなる。この段部１５は、袖部５の開口縁部１０における第１曲げ部１６で外側で且つ手首部４側に延設して液体受け空間１３を形成する第１延長部１７と、この第１延長部１７に連設した第２曲げ部１８で手首部４とは反対側の斜め且つ外側に延設する第２延長部１９とからなる。
【００２４】
この第４実施例の構成によれば、開口１０Ａが下向きになるように使用された場合に、手指部３側の上方から垂れて来る液体を液体受け空間１３が受け止め、且つ、外側に延設する第２延長部１９が飛散しようとする液体を遮断することから、袖や腕等が飛散する液体で濡れるのを防止することができる。
【実施例５】
【００２５】
図１０は、この発明の第５実施例を示すものである。
この第５実施例の特徴とするところは、以下の点にある。即ち、液垂れ防止付き手袋１において、手袋本体２の袖部５部分の外表面７には、この外表面７から窪み且つ手袋本体２の軸方向で所定長さの液体誘導溝２０を複数本形成した。この結果、手袋本体２の袖部５部分には、隣接する液体誘導溝２０・２０間で、この液体誘導溝２０よりも凸状となる溝間突部２１が形成される。
【００２６】
この第５実施例の構成によれば、開口１０Ａが下向きになるように使用された場合に、手指部３側の上方から垂れて来る液体を、液体誘導溝２０によって案内させて効率良く液体受け空間１３に導くことができる。
また、液垂れ防止付き手袋１の使用時に、手袋本体２の袖部５部分では、液体誘導溝２０の内面が人腕の外表面に接するが、溝間突部２１が人腕の外表面との間で隙間を形成することから、手袋本体２内の通気性を良くし、手の蒸れを回避することが可能となる。
【００２７】
なお、この発明は、上述の実施例に限定されず、種々応用改変が可能であることは勿論である。
例えば、上述の実施例では、手袋本体と折り返し部とを一体としたが、手袋本体と折り返し部とを別体とすることも可能である。これにより、手袋本体と折り返し部との材質・模様・色等を変更可能となり、液垂れ防止付き手袋の外観を良くすることが可能である。
また、液垂れ防止付き手袋の完成後のゴム臭を消すために、製造中に、バニラ臭の原料やその他の臭い原料を混入することも可能である。
更に、液垂れ防止付き手袋においては、折り返し部を二回にわたって折り曲げて用いることも可能である。
【産業上の利用可能性】
【００２８】
袖部に液垂れ阻止手段を設けることを、他種の手袋にも適用させることができる。
【図面の簡単な説明】
【００２９】
【図１】第１実施例において液垂れ防止付き手袋の正面図である。
【図２】第１実施例において液垂れ防止付き手袋の手袋本体の一部断面図である。
【図３】第１実施例において折り返し部を折り返したときの断面図である。
【図４】第１実施例において折り返し部の一の変形例を示す断面図である。
【図５】第１実施例において折り返し部の他の変形例を示す断面図である。
【図６】第１実施例において液垂れ防止付き手袋の使用時における正面図である。
【図７】第２実施例において液垂れ防止付き手袋の正面図である。
【図８】第３実施例において液垂れ防止付き手袋の正面図である。
【図９】第４実施例において液垂れ阻止手段の断面図である。
【図１０】第５実施例において液垂れ防止付き手袋の正面図である。
【符号の説明】
【００３０】
１  液垂れ防止付き手袋
２  手袋本体
２Ａ  内部空間
３  手指部
４  手首部
５  袖部
６  液垂れ阻止手段
７  外表面
８  外側部材
９  内側部材
１０  開口縁部
１０Ａ  開口
１１  拡張縁部
１２  折り返し部
１３  液体受け空間
【図１】
2008285775.tif 000003
【図２】
2008285775.tif 000004
【図３】
2008285775.tif 000005
【図４】
2008285775.tif 000006
【図５】
2008285775.tif 000007
【図６】
2008285775.tif 000008
【図７】
2008285775.tif 000009
【図８】
2008285775.tif 000010
【図９】
2008285775.tif 000011
【図１０】
2008285775.tif 000012